(57)【特許請求の範囲】
【請求項１】
加熱溶融した熱可塑性合成樹脂を所定の金型のキャビティ内に供給することによって得られる単位成形品の一対を、ぞれぞれのパーティング面を合わせることによって得られる、横杆と、この横杆の両端部から下方に向けて延設された一対の縦杆とからなるハンガー枠体と、このハンガー枠体の一対の縦杆間に着脱自在に装着されたハンギングロッドとを備えたプラスチック製ハンガーであって、上記単位成形品は、パーティング面が上下方向に延びる中心線を基準にして左右に点対称に形成され、上記パーティング面の上記中心線を基準にした点対称位置の一方に前後方向に向けて突出した係合突片が設けられている一方、他方の点対称位置に上記係合突片に対応した係合凹部が凹設され、上記単位成形品の一対が、各係合突部を対応した係合凹部に係合させることによって前後方向に合体されて形成され、上記ハンギングロッドは、上記一対の縦杆間に複数本が装着されていることを特徴とするプラスチック製ハンガー。
【請求項２】
加熱溶融した熱可塑性合成樹脂からなる原料樹脂を上型と下型とからなる金型のキャビティ内に供給することによって、横杆と、この横杆の両端部から下方に向けて延設された一対の縦杆とからなるハンガー枠体と、このハンガー枠体の一対の縦杆間に着脱自在に装着された複数本のハンギングロッドとを備えたプラスチック製ハンガーを製造するプラスチック製ハンガーの製造方法であって、前後方向に延びる中心線を基準にして上記上型の左右の一方に上下方向に向けて突出した突部を設ける一方、上記下型の点対称位置に上記突部に対応した凹部を有する金型を用い、この金型の上型と下型とを合わせることによって形成されたキャビティ内に上記原料樹脂を供給することによって上記突部に対応した部分に係合凹部を形成させるとともに、上記凹部に対応した部分に係合突部を形成させた単位成形品を得、この単位成形品の一対を、各係合突部が対応した係合凹部に係合するように合わせることによって上記ハンガー枠体を形成させることを特徴とするプラスチック製ハンガーの製造方法。
【発明の詳細な説明】
【０００１】
【発明の属する技術分野】
本発明は、射出成形等によって製造されるプラスチック製ハンガーおよびその製造方法に関するものである。
【０００２】
【従来の技術】
従来、図８に示すような実開平７−３９６５８号公報によって開示された合成樹脂製のハンガーが知られている。このハンガーは、衣類Ｃを多段で吊持するように構成された多段式のハンガー１００であり、水平杆２１０および一対の腕部２２０からなる逆Ｕ字形状のハンガー枠体２００と、このハンガー枠体２００の上部に上方に向かって突設されたフック４００と、上記一対の腕部２２０間に水平に配設された衣類Ｃを吊り掛ける複数の吊持杆３００とから構成されている。
【０００３】
上記両腕部２２０の対向面には上記吊持杆３００を着脱可能に係止する係止手段が設けられている。この係止手段は各腕部２２０の対向面に突設され、かつ、上方に向かって開いた係止凸部２３０から構成されている。この係止凸部２３０は、上面部から下方に向かって吊持杆３００のキャップ体３２０を嵌入する係止溝２３１が形成されており、吊持杆３００は、各キャップ体３２０を水平方向で対向した各係止凸部２３０の係止溝２３１に嵌め込むことによって一対の腕部２２０間に架橋されるようになっている。
【０００４】
このような多段式のハンガー１００は、材料コストの低減を図り、かつ、取り扱いの容易さを考慮して軽量化されているのが好ましい。軽量化の方策としては、内部が空洞に形成されるのが一般的である。
【０００５】
【発明が解決しようとする課題】
ところで、上記のようなハンガー枠体２００は、非常に複雑な外観形状を呈しているばかりか、内部が中空に形成されているため、例えば多段式のハンガー１００を射出成形法で製造しようとすれば、金型が非常に複雑なものになる。また、射出成形においては、図８の二点鎖線で示す部分でハンガー枠体２００を前後に二分した一対の半割れ品をそれぞれ成形する必要があり、しかも一方の半割れ品にはパーティング面に突部を形成するとともに、他方の半割れ品にはパーティング面に上記突部が係合される凹部を設けなければならず、一つの成形品をつくるのに２種類の金型を用意する必要があり、これによって金型のコストが嵩み、製造コストがアップするという問題点を有している。
【０００６】
そのようなことから、実開平７−３９６５８号公報によって開示されたものは、金型に高精度が要求されない吹き込み成形法によって製造されている。因に、この吹き込み成形法は、ハンガー枠体２００の外観形状だけを備えたキャビティを有する金型内に加熱溶融した合成樹脂原料を装填してからキャビティ内にガスを吹き込むことにより溶融原料を膨張させてキャビティ形状に沿った成形品を製造する方法である。
【０００７】
しかしながら、このような吹き込み成形法においては、得られ成形品の厚み寸法が均一にならず、これによって成形品には部分的に構造上弱い部分が発生し易くなり、均質な成形品を得ることが困難であるという問題点を有している。
【０００８】
かかる問題点を解消するためには、樹脂原料を加圧しながら供給してキャビティ内に満たすことにより成形品にする射出成形法の採用が望ましい。すなわち、射出成形法によれば、キャビティ形状の設定のみで成形製品の厚み寸法を均一にしたり、部分的に厚い部分を形成させる等の肉厚設定を自由に行い得るが、上記のように金型が複雑になるとともに、二つの金型が必要になって装置コストが嵩むという二律背反の問題点が生じる。
【０００９】
本発明は、上記のような問題点を解決するためになされたものであり、内部が中空の射出成形品でありながら、一つの金型で済ませることが可能であり、これによって金型コストを抑えた上で射出成形により製造し得るプラスチック製ハンガーおよびその製造方法を提供することを目的としている。
【００１０】
【課題を解決するための手段】
本発明の請求項１記載のプラスチック製ハンガーは、加熱溶融した熱可塑性合成樹脂を所定の金型のキャビティ内に供給することによって得られる単位成形品の一対を、ぞれぞれのパーティング面を合わせることによって得られる、横杆と、この横杆の両端部から下方に向けて延設された一対の縦杆とからなるハンガー枠体と、このハンガー枠体の一対の縦杆間に着脱自在に装着されたハンギングロッドとを備えたプラスチック製ハンガーであって、上記単位成形品は、パーティング面が上下方向に延びる中心線を基準にして左右に点対称に形成され、上記パーティング面の上記中心線を基準にした点対称位置の一方に前後方向に向けて突出した係合突片が設けられている一方、他方の点対称位置に上記係合突片に対応した係合凹部が凹設され、上記単位成形品の一対が、各係合突部を対応した係合凹部に係合させることによって前後方向に合体されて形成され、上記ハンギングロッドは、上記一対の縦杆間に複数本が装着されていることを特徴とするものである。
【００１１】
本発明の請求項２記載のプラスチック製ハンガーの製造方法は、加熱溶融した熱可塑性合成樹脂からなる原料樹脂を上型と下型とからなる金型のキャビティ内に供給することによって、横杆と、この横杆の両端部から下方に向けて延設された一対の縦杆とからなるハンガー枠体と、このハンガー枠体の一対の縦杆間に着脱自在に装着された複数本のハンギングロッドとを備えたプラスチック製ハンガーを製造するプラスチック製ハンガーの製造方法であって、前後方向に延びる中心線を基準にして上記上型の左右の一方に上下方向に向けて突出した突部を設ける一方、上記下型の点対称位置に上記突部に対応した凹部を有する金型を用い、この金型の上型と下型とを合わせることによって形成されたキャビティ内に上記原料樹脂を供給することによって上記突部に対応した部分に係合凹部を形成させるとともに、上記凹部に対応した部分に係合突部を形成させた単位成形品を得、この単位成形品の一対を、各係合突部が対応した係合凹部に係合するように合わせることによって上記ハンガー枠体を形成させることを特徴とするものである。
【００１２】
本発明のプラスチック製ハンガーおよびその製造によれば、一種類の金型を用いて得られた一の単位成形品を、他の単位成形品にそれぞれのパーティング面を合わせるようにして合体させることにより、一の単位成形品の係合突部が他の単位成形品の係合凹部に内嵌するとともに、一の単位成形品の係合凹部が他の単位成形品の係合突部に外嵌してそれぞれ係合し、両単位成形品が相互に結合されたハンガー枠体が形成される。そして、得られたハンガー枠体は、中心線周りに点対称に形成されている。
【００１３】
このように、一つの金型で同一形状の単位成形品を多数成形してパーティング面同士を相互に当接させることで、中心線周りに点対称に形成されるハンガー枠体が得られるため、従来のように２種類の金型を用いて２種類の単位成形品をつくり、異なった種類の間で一つずつを組み合わせてハンガーを得る場合に比較して金型を半減することが可能であり、これによって金型コストの低減化を図ることができる。特に、内部が空洞であったり、多くの凹凸が複雑に形成されるようなプラスチック成形品を射出成形する場合には、金型コスト低減化の効果が顕著である。
【００１４】
【発明の実施の形態】
以下本発明を、図面を基に詳細に説明する。図１は、本発明に係るプラスチック製ハンガーとしての多段式ハンガーの一実施形態を示す分解斜視図であり、図２は、その組立て斜視図である。なお、図１および図２において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００１５】
これらの図に示すように、本発明に係る多段式ハンガー１０（プラスチック製ハンガー）は、逆Ｕ字形状を呈したハンガー枠体１と、このハンガー枠体１に着脱自在に装着される複数本のハンギングロッド３と、上記ハンガー枠体１に取り付けられるフック部材４とを備えた基本構成を有している。上記ハンガー枠体１は、図２に示すように、水平方向に延びる横杆１２と、この横杆１２の両端部から垂下した幅方向一対の縦杆１３とからなっている。かかる多段式ハンガー１０は、外観形状が前後および左右でそれぞれ対称に形成されている。
【００１６】
このようなハンガー枠体１は、同一形状の一対の単位成形品２を、成形時のパーティング面１１が互いに当接するように合わせられて形成されている。なお、パーティング面１１とは、所定の金型を用いて単位成形品２を射出成形する際に、上型と下型との当接面の直ぐ内側に形成される面のことであり、二つの単位成形品２のパーティング面１１同士を相互に当接させることによってハンガー枠体１が形成される。
【００１７】
上記単位成形品２は、水平方向に延びる半割れ水平杆２１と、この半割れ水平杆２１の両端部から垂下した一対の半割れ垂直杆２２とからなっている。上記横杆１２は、前後の半割れ水平杆２１がそれぞれのパーティング面１１を当接させた状態で結合されることによって形成され、上記縦杆１３は、前後の半割れ垂直杆２２がそれぞれのパーティング面１１を当接させた状態で結合されることによって形成されている。
【００１８】
かかる単位成形品２は、断面形状が略同一厚み寸法を備えた円弧状に形成され、これによって前後方向の一方の面に、単位成形品２の全長に亘った断面視で円弧状の凹溝２３が形成され、前後の単位成形品２がパーティング面１１同士の接合によって合体した状態で、ハンガー枠体１内に前後の凹溝２３からなる空洞１４が形成されるようになっている。
【００１９】
上記半割れ水平杆２１の中央部には、上方に膨出した半割れ膨出部２４が設けられ、前後の単位成形品２が合体された状態で横杆１２の上部に正面視で上に凸の円弧状の膨出部１５が形成されるようになっている。この膨出部１５に上記フック部材４が装着されている。
【００２０】
また、幅方向一対の半割れ垂直杆２２の対向面には、互いに対向する方向に突設された半割れ支持突片２５が、上下方向に等ピッチで複数個設けられている。各半割れ支持突片２５は、半割れ水平杆２１の対向面に向かってＬ字形状を呈し、前後の単位成形品２が合体された状態で、前後の半割れ支持突片２５が合わされることにより、それらで上方に向かって開いたＵ字溝１６ａを有するロッド支持部１６が形成されるようになっている。従って、前後の単位成形品２が合体されて形成したハンガー枠体１の幅方向一対の各Ｕ字溝１６ａにハンギングロッド３の両端部を嵌め込むことによって、図２に示すように、幅方向一対の縦杆１３間にハンギングロッド３が装着された状態になる。
【００２１】
図３は、後方に位置した図１に示す単位成形品２の部分拡大斜視図であり、図４は、前方に位置した図１に示す単位成形品２の部分拡大斜視図である。また、図５は、図２のＡ−Ａ線断面図であり、図６は、図２のＢ−Ｂ線断面図である。まず図３に示すように、単位成形品２の凹溝２３には、半割れ水平杆２１の中央部に凹溝２３内に向かって膨出した中央膨出部２６が形成されているとともに、中央膨出部２６の幅方向両端部に対して若干離間した位置から左右の半割れ垂直杆２２の下端部に向けて凹溝２３内に膨出された幅方向一対の膨出条２７とが設けられている。これら中央膨出部２６および膨出条２７が形成されることによって半割れ垂直杆２２の表面側には、図４に示すように、陥没部１７および化粧溝１８が凹設されている。特に上記化粧溝１８によってハンガー枠体１の外観がデザイン的に優れたものになっている。また、上記陥没部１７は、化粧板１７ａによって閉止され、これによってハンガー枠体１の外観の見苦しさが解消されるようにしている。
【００２２】
上記中央膨出部２６は、ハンガー枠体１の上下方向に延びる中心線Ｌに対して左右対称の第１中央膨出部２６ａと第２中央膨出部２６ｂとからなっているとともに、上記膨出条２７は、中心線Ｌに対して左右対称の第１膨出条２７ａと第２膨出条２７ｂとからなっている。
【００２３】
そして、第１中央膨出部２６ａには、図３の前方に向けて二股状の係合突片２８（二股状係合突片２８１）および板状の係合突片２８（板状係合突片２８３）が前方に向けて突設されている一方、第２中央膨出部２６ｂには、中心線Ｌに対する左右対称位置に各係合突片２８に対応した係合孔（係合凹部）２９（二股状係合突片２８１に対応した第１係合孔２９１および板状係合突片２８３に対応した第２係合孔２９２）が穿設されている。上記二股状係合突片２８１の先端部には互いに反対方向に突出した先細りの爪片２８２が設けられているとともに、板状係合突片２８３の先端部には先細りの一つの爪片２８４が設けられている。
【００２４】
これによって、一の単位成形品２と他の単位成形品２とを、パーティング面１１を合わせて合体させることにより、二股状係合突片２８１が第１係合孔２９１に嵌入してその爪片２８２が第１係合孔２９１の縁部に係止されるとともに（図５および図６）、板状係合突片２８３が第２係合孔２９２に嵌入して爪片２８４が第２係合孔２９２の縁部に係止されて一対の単位成形品２は強固に結合されるようになっている。
【００２５】
また、図３における右方の半割れ水平杆２１および半割れ垂直杆２２のパーティング面１１には、外縁部から若干内側に寄った部分に、縁部に沿った案内突条２１１が設けられている一方、左方の半割れ水平杆２１および半割れ垂直杆２２には上記案内突条２１１よりも内側寄りの部分に上記案内突条２１１に対応した嵌入突条２１２が設けられている。そして、一対の単位成形品２がパーティング面１１を接するように合わせられた状態で、嵌入突条２１２が案内突条２１１に案内されつつ凹溝２３内に摺接状態で嵌まり込み、これによって一対の単位成形品２の当接部分に貫通した隙間が形成されないようにしている（図５）。
【００２６】
また、図３における左方の半割れ支持突片２５のパーティング面１１には、水平方向に延びる嵌合溝２５１が凹設されている一方、同右方の半割れ支持突片２５のパーティング面１１には、上記嵌合溝２５１に対応した嵌合突片２５２が突設され、一対の単位成形品２が合体された状態で嵌合突片２５２が嵌合溝２５１に嵌まり込み、これによって上記Ｕ字溝１６が形成されるようになっている。
【００２７】
また、上記半割れ膨出部２４の頂部には半円錐状で上方に突出した半円錐部２４ａが設けられている。この半円錐部２４ａには中心線Ｌ（図３）に沿うように上下方向に延びる装着溝２４ｂが設けられ、二つの単位成形品２が合体された状態で一対の半円錐部２４ａによって円錐部１９が形成されるとともに、この円錐部１９を上下に貫通した装着孔１９ａが形成されるようになっている。
【００２８】
上記ハンギングロッド３は、棒状のロッド本体３１と、このロッド本体３１の幅方向両端部に取り付けられた一対の六角形状キャップ３２とからなっている。各キャップ３２は、回り止めされた状態でハンガー枠体１のＵ字溝１６に着脱自在に装着されるように寸法設定されている。また、上記ロッド本体３１の外周面には長手方向に延びる複数の突条が周方向に等ピッチで設けられており、衣類Ｃをロッド本体３１に掛けた状態で衣類Ｃの滑り落ちが防止されるようになっている。
【００２９】
上記フック部材４は、図１に示すように、上記装着孔１９ａの径寸法より若干小さい径寸法の棒体４１と、この棒体４１の頂部に形成された鈎状のフック４２と、上記棒体４１の下端部に同心で設けられた係止円盤４３とを備えて形成されている。係止円盤４３の径寸法は装着孔１９ａの径寸法より大きく寸法設定され、二つの単位成形品２の合体時に棒体４１を各装着溝２４ｂに嵌め込むことによって、フック部材４は係止円盤４３に抜け止めされた状態で装着孔１９ａに装着されるようになっている。
【００３０】
本実施形態に係る多段式ハンガー１０は、以上詳述したように、ハンガー枠体１の外観形状が前後方向および左右方向のいずれにおいても対称に形成されているとともに、ハンガー枠体１を構成する単位成形品２は、左右方向において中心線Ｌに対して互いに対称な位置の一方に係合用の突部（係合突片２８、嵌入突条２１２および嵌合突片２５２）が突設されているとともに、他方に上記突部が嵌まり込む凹部（係合孔２９、案内突条２１１間の凹部および嵌合溝２５１）が形成されているため、全く同一に構成された一の単位成形品２と他の単位成形品２とを、図１に示すように、それらのパーティング面１１を互いに対向させ後、各パーティング面１１が当接するように両者を合体させることによって各突部が対応した各凹部に嵌まり込み、図２に示すような多段式ハンガー１０が得られる。
【００３１】
この多段式ハンガー１０の実施形態で示したように、本発明のプラスチック成形品は、左右の一方に前後方向に向けて突出した係合突片を設ける一方、他方の対称位置に上記係合突片に対応する係合凹部を凹設した単位成形品を射出成形で製造し、この単位成形品の一対を、各係合突部が対応した係合凹部に係合するように前後方向に合体することによって形成するものであるため、従来のように異なった金型で２種類の単位成形品をつくり、異なった種類の単位成形品を合体させてプラスチック成形品を得る場合に比較して金型を一種類のみ用意するだけでよく、その分高価な金型コストを半減することができ、プラスチック成形品の製造コストの低減化を図る上で極めて有効である。
【００３２】
図７は、本発明に係るプラスチック成形品の製造方法を説明するための説明図であり、（イ）は上型と下型とが互いに離間した状態、（ロ）は上型と下型とが合体されて形成したキャビティ内に合成樹脂原料が射出されつつある状態、（ハ）は得られた二つの単位成形品のパーティング面を相互に対向させた状態、（ニ）対向させた二つの単位成形品を合わせてハンガー枠体１が形成された状態をそれぞれ示している。なお、図７は、本発明方法の原理を説明するものであるため実際のものを簡略化して示している。
【００３３】
単位成形品２を射出成形するに際しては、図７の（イ）および（ロ）に示すようなに金型５が用いられる。この金型５は、単位成形品２の表面側（図７においては下側）の形状に沿った下型５１と、同裏面側の形状に沿った上型５２とから構成されている。また上型５２は、図略の昇降手段の駆動によって昇降するように構成されており、下降して下型５１と合わせられた状態で、図７の（ロ）に示すように、両型５１，５２間に単位成形品２の立体形状に合致したキャビティ５３が形成されるとともに、図７の（イ）に示すように上昇された状態でキャビティ５３内に形成した単位成形品２を取り出し得るようになっている。
【００３４】
また、上型５２には、キャビティ５３の左半分に単位成形品２の係合突片２８に対応した所定個数の凹部５４が凹設されているとともに、同右半分に単位成形品２の係合孔２９に対応した凸部５５が凸設されており、キャビティ５３内に溶融樹脂が射出された状態で凹部５４に樹脂が供給されることによって係合突片２８が形成されるとともに、凸部５５によって樹脂が排除されることにより係合孔２９が形成されるようになっている。そして、本発明においては、各凹部５４と各凸部５５とは、中心線Ｌを挟んで左右対称の位置にそれぞれ設けられている。
【００３５】
また、下型５１には、射出成形機６からの加熱溶融樹脂をキャビティ５３内に導く注入孔５６が穿設されている。そして、単位成形品２を成形するに当たっては、図７の（ロ）に示すように、下型５１上に上型５２装着した後、射出成形機６からの溶融樹脂を注入孔５６を介してキャビティ５３内に注入する。これによってキャビティ５３内は溶融樹脂によって満たされる。ついで所定の冷却手段にで金型５を冷却することによりキャビティ５３内に単位成形品２が形成される。キャビティ５３内の単位成形品２は、図７の（イ）に示すように、上型５２が昇降手段の駆動で上昇された状態でキャビティ５３から取り出される。このような操作が繰り返されることによって、単位成形品２が順次射出成形される。
【００３６】
そして、上記のようにして得られた単位成形品２の二つを、一の単位成形品２の係合突片２８が、他の単位成形品２の係合孔２９に対応するようにするように、それぞれのパーティング面１１を対向させることにより、図７の（ハ）に示す状態になる。この状態で、対向した一対の単位成形品２のパーティング面１１を互いに合わせるように押圧することによって、図７の（ニ）に示すように、それぞれの単位成形品２の係合突片２８が他方の単位成形品２の係合孔２９に嵌まり込んで合体し、これによってハンガー枠体１が得られる。
【００３７】
本発明のプラスチック成形品の製造方法によれば、中心線Ｌを境にして左右の対称位置に凹部５４と、この凹部５４に対応した凸部５５とを備えた上型５２を用いてキャビティ５３を形成するようにしているため、得られた単位成形品２は、左右の対称位置に係合突片２８と、この係合突片２８が嵌まり込む係合孔２９とが形成された状態になる。従って、この金型５から得られた単位成形品２は、二つを向きを変えて合体させることにより相互に係合突片２８が係合孔２９に嵌入してハンガー枠体１が形成され、従来のように係合突片２８のみが設けられたものと、係合孔２９のみが設けられたものとの二種類の単位成形品をつくる必要はなく、その分金型コストを削減することが可能になる。
【００３８】
本発明は、上記の実施形態に限定されるものではなく、以下の内容をも包含するものである。
（１）上記の実施形態においては、プラスチック成形品として多段式ハンガー１０が採用されているが、本発明は、前後方向および左右方向の双方において対称なプラスチック成形品一般に対して適用することが可能である。
（２）上記の実施形態においては、プラスチック成形品として多段式ハンガー１０が採用されているが、本発明は、プラスチック成形品が多段式ハンガー１０であることに限定されるものではなく、通常の一段式の衣類用ハンガーに適用してもよい。
（３）上記の実施形態においては、ハンガー枠体１は射出成形によって製造されているが、本発明はプラスチック成形が射出成形であることに限定されるものではなく、金型を用いた成形法、例えば発泡性合成樹脂を原料として用いた、いわゆる発泡成形法等にも適用することが可能である。
【００３９】
【発明の効果】
本発明の請求項１および２記載のプラスチック製ハンガーおよびその製造方法によれば、上型と下型とからなる一種類の金型を用いて得られた複数の同一形状の単位成形品を成形し、一の単位成形品のパーティング面と、他の単位成形品のパーティング面とが相互に当接するように二つの単位成形品を合体することにより、一の単位成形品の係合突部が他の単位成形品の係合凹部に内嵌するとともに、一の単位成形品の係合凹部が他の単位成形品の係合突部に外嵌してそれぞれ係合して両単位成形品が相互に結合され、これによって中心線周りに点対称のハンガー枠体を得ることができる。
【００４０】
このように、一つの金型で同一形状の単位成形品を多数成形し、パーティング面同士を相互に当接させることで、中心線周りに点対称のハンガー枠体が得られるため、従来のように２種類の金型を用いて２種類の単位成形品をつくり、各種類の一つずつを組み合わせてハンガー枠体を得る場合に比較して金型を半減することが可能であり、これによって金型コストを低減することができる。特に、内部が空洞であったり、多くの凹凸が複雑に形成されるようなプラスチック製ハンガーを射出成形する場合には、金型コスト低減化は顕著である。
【図面の簡単な説明】
【図１】  本発明に係る多段式ハンガーの一実施形態を示す分解斜視図である。
【図２】  図１に示す多段式ハンガーの組立て斜視図である。
【図３】  後方に位置した図１に示す単位成形品の部分拡大斜視図である。
【図４】  前方に位置した図１に示す単位成形品の部分拡大斜視図である。
【図５】  図２のＡ−Ａ線断面図である。
【図６】  図２のＢ−Ｂ線断面図である。
【図７】  （イ）〜（ニ）は、本発明に係るプラスチック成形品の製造方法を説明するための説明図である。
【図８】  従来の多段式のハンガーを例示する一部切欠き斜視図である。
【符号の説明】
１０  多段式ハンガー
１  ハンガー枠体
１１  パーティング面
１２  横杆
１３  縦杆
１４  空洞
１５  膨出部
１６  Ｕ字溝
１７  陥没部
１７ａ  化粧板
１８  化粧溝
１９  円錐部
１９ａ  装着孔
２  単位成形品
２１  半割れ水平杆
２１１  案内突条
２１２  嵌入突条
２２  半割れ垂直杆
２３  凹溝
２４  半割れ膨出部
２４ａ  半円錐部
２５  半割れ支持突片
２５１  嵌合溝
２５２  嵌合突片
２６  中央膨出部
２６ａ  第１中央膨出部
２６ｂ  第２中央膨出部
２７  膨出条
２７ａ  第１膨出条
２７ｂ  第２膨出条
２８  係合突片
２８１  二股状係合突片
２８２，２８４  爪片
２８３  板状係合突片
３  ハンギングロッド
３１  ロッド本体
３２  キャップ
４  フック部材
４１  棒体
４２  フック
４３  係止円盤
５  金型
５１  下型
５２  上型
５３  キャビティ
６  射出成形機
【図１】
0003916729.tif 000002
【図２】
0003916729.tif 000003
【図３】
0003916729.tif 000004
【図４】
0003916729.tif 000005
【図５】
0003916729.tif 000006
【図６】
0003916729.tif 000007
【図７】
0003916729.tif 000008
【図８】
0003916729.tif 000009